(57)【要約】【課題】ユーザの設定した着信音と異なる着信音が鳴動しても、ユーザに違和感を与えないようにする。【解決手段】登録情報記憶部１ａは、電話帳などの通信相手に関する登録情報を記憶している。設定状態記憶部１ｂは、マナーモード、セキュリティモード、通常モードなどの携帯端末１の設定状態を記憶している。着信通知情報表示部１ｃは、登録情報を表示装置１ｄに表示するとき、携帯端末１の設定状態に応じた鳴動音種別と鳴動理由とを含む着信鳴動情報を表示する。例えば、携帯端末１の所有者は、ある登録者Ａの着信音に、‘ラデツキー行進曲’を設定していたとする。着信通知情報表示部１ｃは、当該携帯端末がマナーモードの設定状態で、登録者Ａの電話帳を表示するときは、‘ラデツキー行進曲’ではなく、携帯端末１のマナーモードに応じた‘無音’の鳴動音種別と、‘マナーモード設定中’の鳴動理由とを含む着信鳴動情報を表示する。【選択図】図１
2010114702.tif 000002
【特許請求の範囲】
【請求項１】
通信機能を備えた携帯端末装置において、
通信相手に関する登録情報を記憶した登録情報記憶部と、
当該携帯端末装置の設定状態を記憶する設定状態記憶部と、
前記登録情報を表示装置に表示するとき、前記設定状態に応じた着信時の通知種別と通知理由とを含む着信通知情報を表示する着信通知情報表示部と、
を有することを特徴とする携帯端末装置。
【請求項２】
前記着信通知情報表示部は、前記設定状態が鳴音禁止モードである場合、前記通知種別に無音である旨と前記通知理由に鳴音禁止モードが設定されている旨とを表示することを特徴とする請求項１記載の携帯端末装置。
【請求項３】
前記着信通知情報表示部は、前記設定状態が着信を特定されないようにする安全モードである場合、前記通知種別に通常着信通知設定で設定された通知の種別と前記通知理由に安全モードが設定されている旨とを表示することを特徴とする請求項１記載の携帯端末装置。
【請求項４】
前記着信通知情報表示部は、前記設定状態が鳴音モードで登録者に個別着信音設定がされている場合、前記通知種別に前記個別着信音設定で設定された鳴動音の種別と前記通知理由に個別着信音が設定されている旨とを表示することを特徴とする請求項１記載の携帯端末装置。
【請求項５】
着信履歴を前記表示装置に表示するとき、前記設定状態に応じて通知した着信通知の前記通知種別と前記通知理由とを含む着信通知履歴情報を表示する着信通知履歴情報表示部を有することを特徴とする請求項１記載の携帯端末装置。
【請求項６】
通信機能を備えた携帯端末装置において、
通信相手に関する登録情報を記憶した登録情報記憶部と、
当該携帯端末装置の設定状態を記憶する設定状態記憶部と、
着信履歴を表示装置に表示するとき、前記設定状態に応じて通知した着信通知の通知種別と通知理由とを含む着信通知履歴情報を表示する着信通知履歴情報表示部と、
を有することを特徴とする携帯端末装置。
【発明の詳細な説明】
【技術分野】
【０００１】
本発明は通信機能を備えた携帯端末装置に関する。
【背景技術】
【０００２】
携帯電話機は多機能化が進み、通信相手の電話番号やメールなどの情報を登録する電話帳機能を具備したものがある。携帯電話機のユーザは、電話帳から通信したい相手を選択することにより、容易に通信相手と通信を開始することができる。
【０００３】
また、携帯電話機には、様々な着信音や色パターン、振動パターンを電話帳の登録者ごとやグループごとに設定することができる機能を具備したものがある。これにより、携帯電話機のユーザは、着信音や色パターン、振動パターンによって、どの相手から着信があったのか、または、どのグループから着信があったのか知ることができる。
【０００４】
なお、従来、相手加入者の電話番号を表示し、着信音設定のための特定コードを認識した場合に、表示した電話番号に対する着信音設定要求と認定し、複数の着信音の中から指定された着信音を登録することにより、着信音の設定操作を簡単にする携帯電話機が提供されている（例えば、特許文献１参照）。
【特許文献１】特開平１０−１９０７７９号公報
【発明の開示】
【発明が解決しようとする課題】
【０００５】
しかし、携帯端末機の機能は、高機能化および複雑化しており、ユーザが例えば鳴動させたい着信音を設定しても、実際の設定と異なる着信音が鳴動する場合がある。そのため、ユーザは、設定とは異なる着信音で携帯端末が鳴動していると認識する場合があり、違和感を感じることがあるという問題点があった。
【０００６】
本件はこのような点に鑑みてなされたものであり、ユーザの設定した着信に伴う通知種別と異なる通知種別で通知されても、ユーザに違和感を与えないようにすることができる携帯端末装置を提供することを目的とする。
【課題を解決するための手段】
【０００７】
上記課題を解決するために、通信機能を備えた携帯端末装置が提供される。この携帯端末装置は、通信相手に関する登録情報を記憶した登録情報記憶部と、当該携帯端末装置の設定状態を記憶する設定状態記憶部と、前記登録情報を表示装置に表示するとき、前記設定状態に応じた着信時の通知種別と通知理由とを含む着信通知情報を表示する着信通知情報表示部と、を有する。
【発明の効果】
【０００８】
開示の携帯端末装置では、ユーザの設定した通知種別と異なる通知種別で通知されても、ユーザに違和感を与えないようにすることができる。
【発明を実施するための最良の形態】
【０００９】
図１は、携帯端末装置を示した図である。図１に示すように携帯端末装置１は、登録情報記憶部１ａ、設定状態記憶部１ｂ、着信通知情報表示部１ｃ、および表示装置１ｄを有している。
【００１０】
登録情報記憶部１ａは、通信相手に関する登録情報を記憶している。例えば、登録情報記憶部１ａは、通信相手の電話番号やメールアドレスなどの電話帳を記憶している。
設定状態記憶部１ｂは、携帯端末装置１の設定状態を記憶している。例えば、設定状態記憶部１ｂは、携帯端末装置１に設定されているマナーモード、セキュリティモード、および通常モードの状態を記憶している。
【００１１】
着信通知情報表示部１ｃは、登録情報を表示装置１ｄに表示するとき、携帯端末装置１の設定状態に応じた着信時の通知種別と通知理由とを含む着信通知情報を表示する。
例えば、携帯端末装置１のユーザ（例えば、所有者）は、登録者Ａの通知種別に、‘ラデツキー行進曲’を設定していたとする。
【００１２】
着信通知情報表示部１ｃは、携帯端末装置１が通常モードの設定状態にあり、登録者Ａの電話帳を表示するときは、‘ラデツキー行進曲’の通知種別と、通知種別が個別に設定されていることを示す‘通知種別個別設定’の通知理由とを含む着信通知情報を表示する。
【００１３】
着信通知情報表示部１ｃは、携帯端末装置１がマナーモードの設定状態にあり、登録者Ａの電話帳を表示するときは、‘ラデツキー行進曲’ではなく、携帯端末装置１の設定状態（マナーモード）に応じた‘無音’の通知種別と、‘マナーモード設定中’の通知理由とを含む着信通知情報を表示する。
【００１４】
着信通知情報表示部１ｃは、携帯端末装置１がセキュリティモードの設定状態にあり、登録者Ａの電話帳を表示するときは、‘ラデツキー行進曲’ではなく、携帯端末装置１の設定状態（セキュリティモード）に応じた‘トーン１’（誰から着信があったのか他人に知られないような一般的な着信音）の通知種別と、‘セキュリティモード設定中’の通知理由とを含む着信通知情報を表示する。
【００１５】
これにより、携帯端末装置１の所有者は、登録者Ａの通知種別に‘ラデツキー行進曲’を設定していたにも関わらず、携帯端末装置１の設定状態によっては、設定した通知種別とは異なった通知種別で通知が行われていると認識する場合がある。しかし、所有者は、電話帳に表示される着信通知情報を確認することにより、設定と違う通知種別で通知が行われたことの理由を知ることができる。
【００１６】
このように、携帯端末装置１は、登録情報の表示の際に着信通知情報も表示するので、ユーザの設定した着信に伴う通知種別と異なる通知種別で通知されても、ユーザに違和感を与えないようにすることができる。
【００１７】
次に、第１の実施の形態を図面を参照して詳細に説明する。
図２は、携帯端末の外観を示した図である。図に示すように、携帯端末は、表示装置１１およびボタン１２を有している。携帯端末は、例えば、携帯電話である。
【００１８】
携帯端末は、所有者によるボタン１２の操作に応じて、フラッシュメモリなどの記憶装置に記憶されている電話帳を表示装置１１に表示する。このとき、携帯端末は、電話帳に登録された登録者の情報とともに、その登録者に設定された鳴動音の種別（着信音名、上記の通知種別に対応する）や鳴動理由（上記の通知理由に対応する）を含む着信音鳴動情報を表示する。
【００１９】
例えば、携帯端末は、所有者によるボタン１２の操作に応じて、電話帳に登録されている登録者Ａの情報を表示装置１１に表示するとする。このとき、携帯端末は、登録者Ａの電話番号やメールアドレスの他に、登録者Ａに設定された鳴動音の種別や鳴動理由を表示する。
【００２０】
具体的には、登録者Ａの着信音には、‘ラデツキー行進曲’が設定されているとする。携帯端末は、通常モード（セキュリティモードやマナーモード以外の通常状態）にあるときに、登録者Ａの電話帳表示の要求をボタン１２から受け付けると、登録者Ａの電話帳情報とともに、鳴動音‘ラデツキー行進曲’、鳴動理由‘電話帳別着信音設定’の着信音鳴動情報を表示装置１１に表示する。
【００２１】
一方、携帯端末は、セキュリティモードの状態にあるときに、登録者Ａの電話帳表示の要求をボタン１２から受け付けると、登録者Ａの電話帳情報とともに、鳴動音‘トーン１’、鳴動理由‘セキュリティモード中’の着信音鳴動情報を表示装置１１に表示する。‘トーン１’は、一般的な呼び出し音であり、これにより、着信音が鳴動しても、誰から着信があったのか他人に知られるのを防ぐことができる。
【００２２】
また、携帯端末は、マナーモードの状態にあるときに、登録者Ａの電話帳表示の要求をボタン１２から受け付けると、登録者Ａの電話帳情報とともに、鳴動音‘無音’、鳴動理由‘マナーモード中’の着信音鳴動情報を表示装置１１に表示する。
【００２３】
これにより、携帯端末は、携帯端末のセキュリティモード中に登録者Ａから着信があると、‘トーン１’を鳴動し、マナーモード中に登録者Ａから着信があると‘無音’（振動やＬＥＤ（Light Emitting Diode）の点滅）を鳴動する。
【００２４】
この場合、携帯端末の所有者は、登録者Ａの着信音に‘ラデツキー行進曲’を設定していたにも関わらず、異なった着信音が鳴動していると認識する場合があるが、電話帳の着信音鳴動情報を確認することにより、設定と違う着信音が鳴動したことの理由を知ることができる。
【００２５】
このように、電話帳に着信音鳴動情報を表示することにより、所有者の設定した着信音と異なる着信音が鳴動しても、所有者に違和感を与えることがない。
また、携帯端末の所有者は、着信音が設定と異なっていても、その理由を把握することができるので、着信音が設定と異なる音で鳴動するといったフィールド申告を低減することができる。
【００２６】
図３は、携帯端末のブロック図である。図３に示すように携帯端末は、鳴動情報制御部２１、電話帳データ記憶部２２、鳴動着信音情報記憶部２３、着信音データ記憶部２４、表示装置２５、入出力装置２６、ベースバンド部２７、無線部２８、電源スイッチ２９、ＲＴＣ（Real Time Clock）部３０、および電源ＬＳＩ（Large Scale Integration）３１を有している。
【００２７】
鳴動情報制御部２１は、鳴動着信音情報設定部２１ａ、電話帳データ表示処理部２１ｂ、および着信音処理部２１ｃを有している。鳴動情報制御部２１は、ハードウェアまたはＣＰＵ（Central Processing Unit）のプログラムの実行によって、鳴動着信音情報設定部２１ａ、電話帳データ表示処理部２１ｂ、および着信音処理部２１ｃの機能を実現することができる。
【００２８】
鳴動着信音情報設定部２１ａは、携帯端末の所有者の、入出力装置２６の操作に応じて、鳴動着信音の情報を鳴動着信音情報記憶部２３に設定する。例えば、携帯端末の所有者は、登録者Ａの着信音に‘ラデツキー行進曲’を設定するように入出力装置２６を操作したとする。鳴動着信音情報設定部２１ａは、鳴動着信音情報記憶部２３に、登録者Ａと、登録者Ａに設定された着信音‘ラデツキー行進曲’とを関連付けて記憶する。また、携帯端末の所有者は、グループ０１の着信音に‘トーン２’を設定するように入出力装置２６を操作したとする。鳴動着信音情報設定部２１ａは、鳴動着信音情報記憶部２３に、グループ０１と、グループ０１に設定された着信音‘トーン２’とを関連付けて記憶する。
【００２９】
なお、電話帳は、電話帳に登録されている登録者をグループ管理することができる。例えば、電話帳は、会社ごとやサークルごとなどに基づいて登録者にグループ番号を付与し、登録者をグループ化して登録することができる。これにより、グループ０１の着信音を、例えば、‘トーン２’と設定すると、携帯端末は、グループ０１の登録者から着信があると、‘トーン２’を鳴動する。
【００３０】
電話帳データ表示処理部２１ｂは、携帯端末の所有者の、入出力装置２６の操作に応じて、電話帳データ記憶部２２に記憶されている登録者の電話帳情報を表示装置２５に表示する。このとき、電話帳データ表示処理部２１ｂは、鳴動着信音情報記憶部２３を参照し、電話帳情報を表示する登録者またはグループに対応する着信音鳴動情報を表示装置２５に表示する。
【００３１】
例えば、電話帳データ表示処理部２１ｂは、携帯端末が通常モードにある場合において、入出力装置２６の操作に応じ、電話帳データ記憶部２２に記憶されている登録者Ａの電話帳情報を表示装置２５に表示するとする。この場合、電話帳データ表示処理部２１ｂは、登録者Ａの電話帳情報を表示装置２５に表示するとともに、鳴動着信音情報記憶部２３を参照して、登録者Ａに設定された着信音および鳴動理由を表示する。
【００３２】
また、電話帳データ表示処理部２１ｂは、携帯端末がセキュリティモードにある場合において、入出力装置２６の操作に応じ、電話帳データ記憶部２２に記憶されている登録者Ａの電話帳情報を表示装置２５に表示するとする。この場合、電話帳データ表示処理部２１ｂは、登録者Ａの電話帳情報を表示装置２５に表示するとともに、鳴動着信音情報記憶部２３を参照して、セキュリティモード時の着信音（例えば‘トーン１’）および鳴動理由（ここでは、セキュリティモードなのでセキュリティモード設定中）を表示する。
【００３３】
また、電話帳データ表示処理部２１ｂは、携帯端末がマナーモードにある場合において、入出力装置２６の操作に応じ、電話帳データ記憶部２２に記憶されている登録者Ａの電話帳情報を表示装置２５に表示するとする。この場合、電話帳データ表示処理部２１ｂは、登録者Ａの電話帳情報を表示装置２５に表示するとともに、鳴動着信音情報記憶部２３を参照して、マナーモード時の着信音（‘無音’）および鳴動理由（ここでは、マナーモードなのでマナーモード設定中）を表示する。
【００３４】
着信音処理部２１ｃは、通信相手から着信があると、鳴動着信音情報記憶部２３を参照し、通信相手および携帯端末のモードに適合した着信音を鳴動するようにする。
例えば、着信音処理部２１ｃは、携帯端末が通常モードの状態にある場合において、通信相手から着信があったとする。この場合、着信音処理部２１ｃは、鳴動着信音情報記憶部２３を参照して、通信相手に設定されている着信音を取得し、鳴動するようにする。
【００３５】
また、着信音処理部２１ｃは、携帯端末がセキュリティモードの状態にある場合において、通信相手から着信があったとする。この場合、着信音処理部２１ｃは、鳴動着信音情報記憶部２３を参照して、セキュリティモード時の着信音を鳴動するようにする。
【００３６】
また、着信音処理部２１ｃは、携帯端末がマナーモードの状態にある場合において、通信相手から着信があったとする。この場合、着信音処理部２１ｃは、鳴動着信音情報記憶部２３を参照して、着信音を鳴動しないようにし、例えば、振動やＬＥＤの点滅によって着信を携帯端末の所有者に知らせる。
【００３７】
電話帳データ記憶部２２、鳴動着信音情報記憶部２３、および着信音データ記憶部２４のデータ構成例について説明する。電話帳データ記憶部２２、鳴動着信音情報記憶部２３、および着信音データ記憶部２４は、フラッシュメモリなどの記憶装置である。
【００３８】
図４は、電話帳データ記憶部のデータ構成例を示した図である。図４に示すように、電話帳データ記憶部２２は、電話帳メモリＮｏ．、名前、名前ふりがな、電話番号、メールアドレス、およびグループの欄を有している。電話帳データ記憶部２２は、通信相手となる登録者の電話帳情報を記憶している。
【００３９】
電話帳メモリＮｏ．の欄には、電話帳データ記憶部２２に登録される登録者に付与されるメモリ番号が記憶される。名前の欄には、電話帳データ記憶部２２に登録される登録者の名前が記憶される。名前ふりがなの欄には、名前の欄に記憶される登録者のふりがなが記憶される。電話番号の欄には、登録者の電話番号が記憶される。メールアドレスの欄には、登録者のメールアドレスが記憶される。グループの欄には、登録者の属するグループ番号が記憶される。
【００４０】
図５は、鳴動着信音情報記憶部のデータ構成例を示した図である。図５に示すように、鳴動着信音情報記憶部２３は、セキュリティモード設定、マナーモード設定、通常着信音設定、電話帳Ｎｏ．、設定着信音、グループＮｏ．、および設定着信音の欄を有している。鳴動着信音情報記憶部２３は、携帯端末に設定されているモード状態および電話帳データ記憶部２２に記憶されている登録者またはグループの設定着信音の種別を記憶している。
【００４１】
セキュリティモードの設定の欄には、携帯端末のモード設定がセキュリティモードにあるか否かの情報が記憶される。例えば、携帯端末のモードがセキュリティモードにある場合、‘１’が格納される。携帯端末のモードがセキュリティモードにない場合、‘０’が格納される。
【００４２】
マナーモードの設定の欄には、携帯端末のモード設定がマナーモードにあるか否かの情報が記憶される。例えば、携帯端末のモードがマナーモードにある場合、‘１’が格納される。携帯端末のモードがマナーモードにない場合、‘０’が格納される。
【００４３】
なお、セキュリティモード設定が‘０’、マナーモード設定が‘０’の場合、携帯端末は、通常モードの状態にある。
通常着信音設定の欄には、携帯端末が通常モードの状態にあり、電話帳で個別着信音設定がされていない登録者または電話帳データ記憶部２２に記憶されていない相手から着信があったときに鳴動する着信音が記憶されている。また、携帯端末がセキュリティモードの状態のときに鳴動する着信音が記憶されている。
【００４４】
例えば、携帯端末は、通常モードの状態にあり、電話帳で個別の着信音設定がされていない登録者または電話帳データ記憶部２２に記憶されていない相手から着信があると、図５の例の場合、‘ラデツキー行進曲’を鳴動することになる。また、携帯端末は、セキュリティモードの状態にあるときに登録者から着信があると、‘ラデツキー行進曲’を鳴動することになる。
【００４５】
電話帳Ｎｏ．の欄には、図４に示した電話帳メモリＮｏ．に対応する番号が記憶される。例えば、図５の電話番号Ｎｏ．‘００１’は、図４の友人１に対応していることを示している。
【００４６】
設定着信音の欄には、電話帳Ｎｏ．の欄の登録者に個別設定された着信音名が記憶される。例えば、図５の例より、電話帳Ｎｏ．００１（図４より友人１）の着信音には、‘エンターテイナー’が設定されていることが分かる。
【００４７】
グループＮｏ．の欄には、図４に示したグループに対応する番号が記憶される。例えば、図５のグループＮｏ．‘グループ０１’は、図４のグループ０１に対応している。
設定着信音の欄には、グループＮｏ．の欄のグループに設定された着信音名が記憶される。例えば、図５の例より、グループ０１の着信音には、トーン２が設定されていることが分かる。
【００４８】
図６は、着信音データ記憶部のデータ構成例を示した図である。図６に示すように、着信音データ記憶部２４は、着信音名および音データの欄を有している。着信音データ記憶部２４には、着信音データそのものが記憶される。
【００４９】
着信音名の欄には、着信音名が記憶されている。音データの欄には、着信音名の実際の音データが記憶されている。
図３の説明に戻る。表示装置２５は、図２に示した表示装置１１である。表示装置２５は、例えば、ＬＣＤ（Liquid Crystal Display）である。
【００５０】
入出力装置２６は、図２に示したボタン１２、サイドキー、スピーカ、およびマイクなどである。携帯端末は、ボタン１２やサイドキーの押下によって、通常モード、セキュリティモード、およびマナーモードの状態に移行することができる。
【００５１】
ベースバンド部２７は、受信したデータおよび送信するデータのベースバンド処理を行う。ベースバンド部２７は、通信相手から着信を受けると、着信を受けた旨を鳴動情報制御部２１に通知する。無線部２８は、受信したデータおよび送信するデータの変復調などの無線処理を行う。
【００５２】
ＲＴＣ部３０は、ベースバンド部２７と電源ＬＳＩ３１に時刻を通知している。電源ＬＳＩ３１は、タイマ設定により所定時刻になると、携帯端末を起動するために、各部に電源を供給する。電源スイッチ２９は、携帯端末の所有者の操作に応じて、各部に電源を供給するよう電源ＬＳＩ３１を制御する。
【００５３】
次に、携帯端末の電話帳を表示する際の動作を、フローチャートを用いて説明する。
図７、図８、図９は、携帯端末の電話帳表示動作を示したフローチャートである。携帯端末は、所有者の操作に応じて選択された登録者の電話帳を、以下のステップに従って表示する。
【００５４】
ステップＳ１において、電話帳データ表示処理部２１ｂは、鳴動着信音情報記憶部２３を参照し、選択された登録者に個別の着信音設定（電話帳別着信音設定）があるか否か判断する。電話帳データ表示処理部２１ｂは、選択された登録者に電話帳別着信音設定がない場合、ステップＳ３へ進む。選択された登録者に電話帳別着信音設定がある場合、ステップＳ２へ進む。
【００５５】
ステップＳ２において、電話帳データ表示処理部２１ｂは、変数ｘにａを代入する。
ステップＳ３において、電話帳データ表示処理部２１ｂは、鳴動着信音情報記憶部２３を参照し、選択された登録者にグループ別の着信音の設定（グループ別着信音設定）があるか否か判断する。電話帳データ表示処理部２１ｂは、選択された登録者にグループ別着信音設定がない場合、ステップＳ５へ進む。選択された登録者にグループ別着信音設定がある場合、ステップＳ４へ進む。
【００５６】
ステップＳ４において、電話帳データ表示処理部２１ｂは、変数ｘにｂを代入する。
ステップＳ５において、電話帳データ表示処理部２１ｂは、鳴動着信音情報記憶部２３を参照し、携帯端末がマナーモードに設定されているか否か判断する。電話帳データ表示処理部２１ｂは、携帯端末がマナーモードに設定されている場合、ステップＳ１１へ進む。携帯端末がマナーモードに設定されていない場合、ステップＳ６へ進む。
【００５７】
ステップＳ６において、電話帳データ表示処理部２１ｂは、鳴動着信音情報記憶部２３を参照し、携帯端末がセキュリティモードに設定されているか否か判断する。電話帳データ表示処理部２１ｂは、携帯端末がセキュリティモードに設定されている場合、ステップＳ１２へ進む。携帯端末がセキュリティモードに設定されていない場合、ステップＳ７へ進む。
【００５８】
ステップＳ７において、電話帳データ表示処理部２１ｂは、選択された登録者の電話帳を表示するとともに鳴動音と鳴動理由を表示する。ステップＳ７は、携帯端末が通常モードの状態にあり、選択された登録者が電話帳別着信音の設定のされていない場合に該当するので、電話帳データ表示処理部２１ｂは、鳴動着信音情報記憶部２３の通常着信音設定に設定されている着信音を表示する。例えば、鳴動着信音情報記憶部２３の通常着信音設定に‘トーン１’が設定されている場合、電話帳データ表示処理部２１ｂは、登録者の電話帳情報とともに、鳴動音‘トーン１’、鳴動理由‘通常着信音設定’を表示する。これにより、携帯端末の所有者は、通常モード時に、電話帳別着信音の設定のされていない登録者から着信があると、トーン１の着信音が鳴動することが分かる。
【００５９】
ステップＳ８において、電話帳データ表示処理部２１ｂは、鳴動着信音情報記憶部２３を参照し、携帯端末がマナーモードに設定されているか否か判断する。電話帳データ表示処理部２１ｂは、携帯端末がマナーモードに設定されている場合、ステップＳ１１へ進む。携帯端末がマナーモードに設定されていない場合、ステップＳ９へ進む。
【００６０】
ステップＳ９において、電話帳データ表示処理部２１ｂは、鳴動着信音情報記憶部２３を参照し、携帯端末がセキュリティモードに設定されているか否か判断する。電話帳データ表示処理部２１ｂは、携帯端末がセキュリティモードに設定されている場合、ステップＳ１２へ進む。携帯端末がセキュリティモードに設定されていない場合、ステップＳ１０へ進む。
【００６１】
ステップＳ１０において、電話帳データ表示処理部２１ｂは、変数ｘがａの場合、選択された登録者の電話帳を表示するとともに鳴動音と鳴動理由を表示する。変数ｘがａの場合は、携帯端末が通常モードの状態にあり、選択された登録者が電話帳別着信音設定されている場合に該当するので、電話帳データ表示処理部２１ｂは、鳴動着信音情報記憶部２３の電話帳Ｎｏ．の設定着信音に設定されている着信音を表示する。例えば、電話帳データ表示処理部２１ｂは、選択された登録者に‘トーン２’の設定着信音が設定されている場合、鳴動音‘トーン２’、鳴動理由‘電話帳別着信音設定’を表示する。
【００６２】
電話帳データ表示処理部２１ｂは、変数ｘがｂの場合、選択された登録者の電話帳を表示するとともに鳴動音と鳴動理由を表示する。変数ｘがｂの場合は、携帯端末が通常モードの状態にあり、選択された登録者がグループ別着信音設定されている場合に該当するので、電話帳データ表示処理部２１ｂは、鳴動着信音情報記憶部２３のグループＮｏ．の設定着信音に設定されている着信音を表示する。例えば、電話帳データ表示処理部２１ｂは、選択された登録者に‘トーン３’の設定着信音が設定されている場合、鳴動音‘トーン３’、鳴動理由‘グループ別着信音設定’を表示する。
【００６３】
ステップＳ１１において、電話帳データ表示処理部２１ｂは、選択された登録者の電話帳を表示するとともに鳴動音と鳴動理由を表示する。ステップＳ１１は、携帯端末がマナーモード設定中の状態に該当するので、電話帳データ表示処理部２１ｂは、鳴動音‘無音’、鳴動理由‘マナーモード設定中’を表示する。
【００６４】
ステップＳ１２において、電話帳データ表示処理部２１ｂは、選択された登録者の電話帳を表示するとともに鳴動音と鳴動理由を表示する。ステップＳ１２は、携帯端末がセキュリティモード設定中の状態に該当するので、電話帳データ表示処理部２１ｂは、鳴動着信音情報記憶部２３の通常着信音設定に設定されている着信音を表示する。例えば、電話帳データ表示処理部２１ｂは、通常着信音設定に‘トーン１’が設定されている場合、鳴動音‘トーン１’、鳴動理由‘セキュリティモード設定中’を表示する。
【００６５】
次に、携帯端末の表示装置２５に表示される画面例について説明する。
図１０は、通常着信音設定を行う際の携帯端末の画面例および電話帳の画面例を示した図である。
【００６６】
図１０の画面４１は、友人１を登録している電話帳の画面例を示している。友人１の個人的な着信音設定（電話帳別着信音設定）は、未設定であり、工場出荷時の状態（トーン１）となっている。また、携帯端末は、通常モードにあり、鳴動理由は、通常着信音設定となっている。なお、画面４１に示す着信音鳴動情報（１／２）は、着信音鳴動情報の画面が２ページあり、現在、その１ページ目が表示されていることを示す。
【００６７】
携帯端末の所有者は、友人１の通常着信音を‘トーン１’から‘ラデツキー行進曲’に変更するとする。この場合、所有者は、例えば、通常着信音設定の設定を行う図１０の画面４２へと進む。
【００６８】
所有者は、図１０の画面４３に示すように、例えば、カーソルを‘ラデツキー行進曲’に合わせ、決定キーを押下する。これにより、友人１を含む電話帳別着信音設定を行っていない登録者の着信音は、‘トーン１’から‘ラデツキー行進曲’に変更される。
【００６９】
図１０の画面４４は、着信音変更後の友人１の電話帳画面例を示している。画面４４に示すように、友人１の鳴動音は、‘トーン１’から‘ラデツキー行進曲’に変更されている。
【００７０】
図１１は、セキュリティモードおよびマナーモードの設定を行ったときの電話帳の画面例を示した図である。図１１は、図１０の続きを示し、携帯端末の所有者は、友人１の着信音を‘トーン１’から‘ラデツキー行進曲’に変更した後、セキュリティモードおよびマナーモードの設定を行うとする。
【００７１】
携帯端末の所有者は、携帯端末をセキュリティモードに設定する場合、例えば、図１１の画面４５に示すようなセキュリティモード設定画面へ進む。所有者は、画面４５に示されている‘Ｙｅｓ’にカーソルを合わせ、例えば、携帯端末の決定キーを押下する。
【００７２】
図１１の画面４６は、携帯端末をセキュリティモードに設定した後の友人１の電話帳を示した画面例である。画面４６に示すように、友人１の鳴動音は、‘トーン１’となっている。鳴動理由は、‘セキュリティモード中’となっている。
【００７３】
すなわち、携帯端末をセキュリティモードに設定すると、鳴動音は、着信音によって誰から着信があったのか他人に知られないよう通常着信音設定に設定された着信音（ここでは‘トーン１’）となる。そして、鳴動理由には、‘セキュリティモード中’を表示し、所有者が‘ラデツキー行進曲’に設定変更したにも関わらず、‘トーン１’が鳴動しても違和感を与えないようにしている。
【００７４】
次いで、所有者は、セキュリティモードからマナーモードへと携帯端末の状態を遷移させるとする。この場合、携帯端末の所有者は、例えば、図１１の画面４７に示すようなマナーモード設定画面へ進む。所有者は、画面４７に示されている‘Ｙｅｓ’にカーソルを合わせ、例えば、携帯端末の決定キーを押下する。
【００７５】
図１１の画面４８は、携帯端末をマナーモードに設定した後の友人１の電話帳を示した画面例である。画面４８に示すように、友人１の鳴動音は、‘無音’となっている。鳴動理由は、‘マナーモード中’となっている。
【００７６】
すなわち、携帯端末をマナーモードに設定すると、鳴動音は、他人に迷惑がかからないよう無音（振動やＬＥＤの点滅）となる。そして、鳴動理由には、‘マナーモード中’を表示し、所有者が‘ラデツキー行進曲’に設定変更したにも関わらず、振動やＬＥＤの点滅によって着信が伝えられても違和感を与えないようにしている。
【００７７】
図１２は、グループ別着信音設定を行う際の携帯端末の画面例および電話帳の画面例を示した図である。
図１２の画面５１は、友人１を登録している電話帳の画面例を示している。友人１の鳴動音は、‘ラデツキー行進曲’であり、鳴動理由は、‘通常着信音設定’となっている。
【００７８】
携帯端末の所有者は、友人１の着信音をグループ別着信音設定に変更し、友人１のグループの着信音を‘トーン２’に変更するとする。この場合、所有者は、例えば、グループ別着信音の設定を行う図１２の画面５２へと進む。
【００７９】
所有者は、図１２の画面５３に示すように、例えば、カーソルを‘トーン２’に合わせ、決定キーを押下する。これにより、友人１の属するグループ０１の着信音は、‘ラデツキー行進曲’から‘トーン２’に変更される。
【００８０】
図１２の画面５４は、着信音変更後の友人１の電話帳画面例を示している。画面５４に示すように、友人１（グループ０１）の鳴動音は、‘ラデツキー行進曲’から‘トーン２’に変更されている。鳴動理由は、通常着信音設定からグループ別着信設定に変更されている。
【００８１】
図１３は、セキュリティモードおよびマナーモードの設定を行ったときの電話帳の画面例を示した図である。図１３は、図１２の続きを示し、携帯端末の所有者は、友人１の着信音を‘ラデツキー行進曲’から‘トーン２’に変更した後、セキュリティモードおよびマナーモードの設定を行うとする。
【００８２】
携帯端末の所有者は、携帯端末をセキュリティモードに設定する場合、例えば、図１３の画面５５に示すようなセキュリティモード設定画面へ進む。所有者は、画面５５に示されている‘Ｙｅｓ’にカーソルを合わせ、例えば、携帯端末の決定キーを押下する。
【００８３】
図１３の画面５６は、携帯端末をセキュリティモードに設定した後の友人１の電話帳を示した画面例である。画面５６に示すように、友人１の鳴動音は、‘トーン１’となっている。鳴動理由は、‘セキュリティモード中’となっている。
【００８４】
すなわち、携帯端末をセキュリティモードに設定すると、鳴動音は、着信音によって誰から着信があったのか他人に知られないよう通常着信音設定に設定された‘トーン１’となる。そして、鳴動理由には、‘セキュリティモード中’を表示し、所有者が‘トーン２’に設定変更したにも関わらず、‘トーン１’が鳴動しても違和感を与えないようにしている。
【００８５】
次いで、所有者は、セキュリティモードからマナーモードへと携帯端末の状態を遷移させるとする。この場合、携帯端末の所有者は、例えば、図１３の画面５７に示すようなマナーモード設定画面へ進む。所有者は、画面５７に示されている‘Ｙｅｓ’にカーソルを合わせ、例えば、携帯端末の決定キーを押下する。
【００８６】
図１３の画面５８は、携帯端末をマナーモードに設定した後の友人１の電話帳を示した画面例である。画面５８に示すように、友人１の鳴動音は、‘無音’となっている。鳴動理由は、‘マナーモード中’となっている。
【００８７】
すなわち、携帯端末をマナーモードに設定すると、鳴動音は、他人に迷惑がかからないよう無音となる。そして、鳴動理由には、‘マナーモード中’を表示し、所有者が着信音を‘トーン２’に設定変更したにも関わらず、振動等によって着信が伝えられても違和感を与えないようにしている。
【００８８】
図１４は、電話帳別着信音設定を行う際の携帯端末の画面例および電話帳の画面例を示した図である。
図１４の画面６１は、友人１を登録している電話帳の画面例を示している。友人１の鳴動音は、トーン２となっている。また、鳴動理由は、グループ別着信音設定となっている。
【００８９】
携帯端末の所有者は、友人１のグループ別着信音を‘トーン２’から、電話帳別着信音の‘エンターテイナー’に変更するとする。この場合、所有者は、例えば、通常着信音設定の設定を行う画面６２へと進む。
【００９０】
所有者は、図１４の画面６３に示すように、例えば、カーソルを‘エンターテイナー’に合わせ、決定キーを押下する。これにより、友人１の着信音は、‘トーン２’から‘エンターテイナー’に変更される。
【００９１】
図１４の画面６４は、着信音変更後の友人１の電話帳画面例を示している。画面６４に示すように、友人１の鳴動音は、‘トーン２’から‘エンターテイナー’に変更されている。鳴動理由は、グループ別着信設定から電話帳別着信設定に変更されている。
【００９２】
図１５は、セキュリティモードおよびマナーモードの設定を行ったときの電話帳の画面例を示した図である。図１５は、図１４の続きを示し、携帯端末の所有者は、友人１の着信音を‘トーン２’から‘エンターテイナー’に変更した後、セキュリティモードおよびマナーモードの設定を行うとする。
【００９３】
携帯端末の所有者は、携帯端末をセキュリティモードに設定する場合、例えば、図１５の画面６５に示すようなセキュリティモード設定画面へ進む。所有者は、画面６５に示されている‘Ｙｅｓ’にカーソルを合わせ、例えば、携帯端末の決定キーを押下する。
【００９４】
図１５の画面６６は、携帯端末をセキュリティモードに設定した後の友人１の電話帳を示した画面例である。画面６６に示すように、友人１の鳴動音は、‘トーン１’となっている。鳴動理由は、‘セキュリティモード中’となっている。
【００９５】
すなわち、携帯端末をセキュリティモードに設定すると、鳴動音は、着信音によって誰から着信があったのか他人に知られないよう通常着信音設定に設定された‘トーン１’となる。そして、鳴動理由には、‘セキュリティモード中’を表示し、所有者が‘エンターテイナー’に設定したにも関わらず、‘トーン１’が鳴動しても違和感を与えないようにしている。
【００９６】
次いで、所有者は、セキュリティモードからマナーモードへと携帯端末の状態を遷移させるとする。この場合、携帯端末の所有者は、例えば、図１５の画面６７に示すようなマナーモード設定画面へ進む。所有者は、画面６７に示されている‘Ｙｅｓ’にカーソルを合わせ、例えば、携帯端末の決定キーを押下する。
【００９７】
図１５の画面６８は、携帯端末をマナーモードに設定した後の友人１の電話帳を示した画面例である。画面６８に示すように、友人１の鳴動音は、‘無音’となっている。鳴動理由は、‘マナーモード中’となっている。
【００９８】
すなわち、携帯端末をマナーモードに設定すると、鳴動音は、他人に迷惑がかからないよう無音となる。そして、鳴動理由には、‘マナーモード中’を表示し、所有者が着信音を‘エンターテイナー’に設定したにも関わらず、振動等によって着信が伝えられても違和感を与えないようにしている。
【００９９】
図１６は、ある電話帳における鳴動優先度と鳴動理由を説明する図である。図１６に示す‘実際に鳴動する着信音の表示内容’の欄は、電話帳の鳴動音に表示される内容を示している。図１６に示す‘鳴動理由表示内容’の欄は、電話帳の鳴動理由に表示される内容を示している。
【０１００】
図１６の最上欄に示すマナーモードから通常着信音の欄は、左欄に向かうほど優先度が高い。従って、例えば、登録者にグループ別着信音が設定されても、電話帳別着信音が設定されれば、電話帳別着信音で設定された着信音が電話帳の鳴動音および鳴動理由に表示される。また、電話帳別着信音が設定されても、セキュリティモードが設定されれば、通常着信音で設定された着信音が電話帳の鳴動音および鳴動理由に表示される。なお、図１６中の設定ありは、最上欄の鳴動音設定において、最左欄の音を設定できることを示している。設定なしは、最上欄の鳴動音設定において、最左欄の音を設定できないことを示している。
【０１０１】
このように、電話帳に着信音鳴動情報を表示することにより、携帯端末の所有者の設定した着信音と異なる着信音が鳴動しても、所有者に違和感を与えることがない。
また、携帯端末の所有者は、鳴動する着信音が設定と異なっていても、その理由を把握することができるので、着信音が設定と異なる音で鳴動するといったフィールド申告を低減することができる。
【０１０２】
なお、上記では鳴動音と鳴動理由とを表示するとしたが、携帯端末の振動パターン、発光部の発光色、および発光部の発光パターンを表示するようにしてもよい。例えば、ある登録者の電話帳の画面に、バイブレータ：振動パターンＡ、着信ランプ：青色と表示するようにしてもよい。
【０１０３】
また、携帯端末の所有者の操作に応じて、携帯端末の設定状態に応じた着信音をデモ鳴動するようにしてもよい。例えば、携帯端末は、セキュリティモードの状態でデモ鳴動の要求があった場合、通常着信音設定で設定されている着信音をデモ鳴動する。
【０１０４】
また、上記は、電話着信やメール着信以外のＰＴＴ（Push to Talk）通信の着信にも適用することができる。
次に、第２の実施の形態を図面を参照して詳細に説明する。第１の実施の形態では、電話帳に鳴動音と鳴動理由を表示するようにした。第２の実施の形態では、着信履歴にも鳴動音と鳴動理由を表示するようにする。なお、第２の実施の形態に係る携帯端末のブロック図は、図３のブロック図に対し、鳴動情報制御部２１が着信履歴表示処理部を有する所が異なる。
【０１０５】
図１７、図１８、図１９は、第２の実施の形態に係る携帯端末の着信履歴表示動作を示したフローチャートである。携帯端末は、電話着信またはメール着信を受けると、以下のステップに従って、着信履歴に鳴動音と鳴動理由とを表示（記憶）する。
【０１０６】
ステップＳ２１において、携帯端末の着信履歴表示処理部は、着信者（発信してきた相手）と電話帳との照合処理を行う。
ステップＳ２２において、着信履歴表示処理部は、着信者と電話帳データ記憶部２２に登録されている登録者とが一致したか否か判断する。着信履歴表示処理部は、着信者と電話帳データ記憶部２２に登録されている登録者とが一致した場合、ステップＳ２４へ進む。着信者と電話帳データ記憶部に登録されている登録者とが一致しない場合、ステップＳ２３へ進む。
【０１０７】
ステップＳ２３において、着信履歴表示処理部は、変数ｘにａを代入する。
ステップＳ２４において、着信履歴表示処理部は、鳴動着信音情報記憶部２３を参照し、着信者に電話帳別着信音の設定がされているか否か判断する。着信履歴表示処理部は、着信者に電話帳別着信音の設定がされていない場合、ステップＳ２６へ進む。着信者に電話帳別着信音の設定がされている場合、ステップＳ２５へ進む。
【０１０８】
ステップＳ２５において、着信履歴表示処理部は、変数ｘにｂを代入する。
ステップＳ２６において、着信履歴表示処理部は、鳴動着信音情報記憶部２３を参照し、着信者にグループ別着信音の設定がされているか否か判断する。着信履歴表示処理部は、着信者にグループ別着信音の設定がされていない場合、ステップＳ２８へ進む。着信者にグループ別着信音の設定がされている場合、ステップＳ２７へ進む。
【０１０９】
ステップＳ２７において、着信履歴表示処理部は、変数ｘにｃを代入する。
ステップＳ２８において、着信履歴表示処理部は、鳴動着信音情報記憶部２３を参照し、携帯端末にマナーモードの設定がされているか否か判断する。着信履歴表示処理部は、携帯端末にマナーモードの設定がされていない場合、ステップＳ３０へ進む。携帯端末にマナーモードの設定がされている場合、ステップＳ２９へ進む。
【０１１０】
ステップＳ２９において、着信履歴表示処理部は、変数ｘにｂを代入する。
ステップＳ３０において、着信履歴表示処理部は、鳴動着信音情報記憶部２３を参照し、携帯端末にセキュリティモードの設定がされているか否か判断する。着信履歴表示処理部は、携帯端末にセキュリティモードの設定がされていない場合、ステップＳ３２へ進む。携帯端末にセキュリティモードの設定がされている場合、ステップＳ３１へ進む。
【０１１１】
ステップＳ３１において、着信履歴表示処理部は、変数ｘにｂを代入する。
ステップＳ３２において、着信履歴表示処理部は、変数ｘにｄを代入する。
ステップＳ３３において、着信履歴表示処理部は、鳴動着信音情報記憶部２３を参照し、携帯端末にマナーモードの設定がされているか否か判断する。着信履歴表示処理部は、携帯端末にマナーモードが設定されている場合、ステップＳ３７へ進む。携帯端末にマナーモードが設定されていない場合、ステップＳ３４へ進む。
【０１１２】
ステップＳ３４において、着信履歴表示処理部は、鳴動着信音情報記憶部２３を参照し、携帯端末にセキュリティモードの設定がされているか否か判断する。着信履歴表示処理部は、携帯端末にセキュリティモードが設定されている場合、ステップＳ３９へ進む。携帯端末にセキュリティモードが設定されていない場合、ステップＳ３５へ進む。
【０１１３】
ステップＳ３５において、着信履歴表示処理部は、変数ｘがａまたはｄの場合、通常着信音の鳴動処理を行う。すなわち、着信履歴表示処理部は、着信者が電話帳データ記憶部２２に登録されていなかった場合または着信者が電話帳データ記憶部２２に登録されているが電話帳別着信音およびグループ別着信音の設定がされていなかった場合、通常着信音に設定されている着信音を鳴動するように処理する。
【０１１４】
着信履歴表示処理部は、変数ｘがｂの場合、電話帳別着信音の鳴動処理を行う。すなわち、着信履歴表示処理部は、着信者が電話帳データ記憶部２２に登録され、電話帳別着信音が設定されている場合、電話帳別着信音に設定されている着信音を鳴動するように処理する。
【０１１５】
着信履歴表示処理部は、変数ｘがｃの場合、グループ別着信音の鳴動処理を行う。すなわち、着信履歴表示処理部は、着信者が電話帳データ記憶部２２に登録され、グループ別着信音が設定されている場合、グループ別着信音に設定されている着信音を鳴動するように処理する。
【０１１６】
ステップＳ３６において、着信履歴表示処理部は、着信履歴表示処理を行う。このとき、着信履歴表示処理部は、着信者の名前や電話番号などの情報とともに着信したときの鳴動音と鳴動理由を表示する。
【０１１７】
着信履歴表示処理部は、変数ｘがａの場合、通常着信音で設定された鳴動音と、通常着信音設定の鳴動理由とを表示する。すなわち、着信履歴表示処理部は、着信者が電話帳データ記憶部２２に登録されていなかった場合、通常着信音で設定されている着信音（ここでは、トーン１）を表示し、鳴動理由に通常着信音設定を表示する。なお、着信者は、電話帳データ記憶部２２に登録されていないので、着信者の名前は、着信履歴には表示されない。
【０１１８】
着信履歴表示処理部は、変数ｘがｂの場合、電話帳別着信音で設定された鳴動音と、電話帳別着信音設定の鳴動理由とを表示する。すなわち、着信履歴表示処理部は、着信者が電話帳データ記憶部２２に登録され、電話帳別着信音が設定されている場合、電話帳別着信音で設定されている着信音（ここでは、トーン３）を表示し、鳴動理由に電話帳別着信音設定を表示する。
【０１１９】
着信履歴表示処理部は、変数ｘがｃの場合、グループ別着信音で設定された鳴動音と、グループ別着信音設定の鳴動理由とを表示する。すなわち、着信履歴表示処理部は、着信者が電話帳データ記憶部２２に登録され、グループ別着信音が設定されている場合、グループ別着信音で設定されている着信音（ここでは、トーン２）を表示し、鳴動理由にグループ別着信音設定を表示する。
【０１２０】
着信履歴表示処理部は、変数ｘがｄの場合、通常着信音で設定された鳴動音と、通常着信音設定の鳴動理由とを表示する。すなわち、着信履歴表示処理部は、着信者が電話帳データ記憶部２２に登録されているが、電話帳別着信音およびグループ別着信音の設定がされていない場合、通常着信音で設定されている着信音（ここでは、トーン１）を表示し、鳴動理由に通常着信音設定を表示する。
【０１２１】
ステップＳ３７において、着信履歴表示処理部は、無音の鳴動処理を行う。例えば、着信履歴表示処理部は、携帯電話を振動させ、または、ＬＥＤなどを点滅させて着信を携帯端末の所有者に通知する。
【０１２２】
ステップＳ３８において、着信履歴表示処理部は、変数ｘがａ〜ｄの場合、鳴動音に‘無音’、鳴動理由に‘マナーモード設定中’を表示する。すなわち、着信履歴表示処理部は、マナーモードが設定されている場合には、鳴動音に‘無音’、鳴動理由に‘マナーモード設定中’を表示する。
【０１２３】
ステップＳ３９において、着信履歴表示処理部は、通常着信音の鳴動処理を行う。
ステップＳ４０において、着信履歴表示処理部は、変数ｘがａ〜ｄの場合、通常着信音で設定された鳴動音（ここでは、トーン１）と、通常着信音設定の鳴動理由とを表示する。すなわち、着信履歴表示処理部は、鳴動音に‘トーン１’を表示し、鳴動理由に‘セキュリティモード設定中’を表示する。
【０１２４】
なお、上記の着信履歴表示は、ＦＩＦＯ（First In First Out）方式で携帯端末の記憶装置に記憶される。着信履歴表示処理部は、記憶装置に着信履歴が記憶されている限りは、携帯端末の所有者の要求に応じて、いつでも着信履歴を表示装置１１に表示させることができるようになっている。
【０１２５】
図２０は、着信履歴の画面例を示した図である。着信履歴表示処理部は、着信があった場合または携帯端末の所有者から着信履歴の表示要求があった場合、図２０の画面７１に示すような着信履歴を表示装置１１に表示する。画面７１に示すように、着信履歴の画面７１には、着信があったときの鳴動音と鳴動理由とが表示される。これにより、携帯端末の所有者は、設定と異なった着信音が鳴動しても、その理由を知ることができる。
【０１２６】
このように、携帯端末は、着信履歴の画面に着信者の情報とともに鳴動音と鳴動理由とを表示する。これにより、携帯端末の所有者は、設定した着信音と異なる着信音が鳴動しても、違和感を感じることがない。
【０１２７】
また、携帯端末の所有者は、着信音が設定と異なっていても、その理由を把握することができるので、着信音が設定と異なる音で鳴動するといったフィールド申告を低減することができる。
【０１２８】
なお、第１の実施の形態と第２の実施の形態は、それぞれ独立して実現することもできるし、組み合わせて実現することもできる。
また、本実施の形態では、着信通知を着信音、として説明したが、これに限らず、着信に伴う色パターンや、振動パターンであってもよい。
【０１２９】
（付記１）  通信機能を備えた携帯端末装置において、
通信相手に関する登録情報を記憶した登録情報記憶部と、
当該携帯端末装置の設定状態を記憶する設定状態記憶部と、
前記登録情報を表示装置に表示するとき、前記設定状態に応じた着信時の通知種別と通知理由とを含む着信通知情報を表示する着信通知情報表示部と、
を有することを特徴とする携帯端末装置。
【０１３０】
（付記２）  前記着信通知情報表示部は、前記設定状態が鳴音禁止モードである場合、前記通知種別に無音である旨と前記通知理由に鳴音禁止モードが設定されている旨とを表示することを特徴とする付記１記載の携帯端末装置。
【０１３１】
（付記３）  前記着信通知情報表示部は、前記設定状態が着信を特定されないようにする安全モードである場合、前記通知種別に通常着信通知設定で設定された通知の種別と前記通知理由に安全モードが設定されている旨とを表示することを特徴とする付記１記載の携帯端末装置。
【０１３２】
（付記４）  前記着信通知情報表示部は、前記設定状態が鳴音モードで登録者に個別着信音設定がされている場合、前記通知種別に前記個別着信音設定で設定された鳴動音の種別と前記通知理由に個別着信音が設定されている旨とを表示することを特徴とする付記１記載の携帯端末装置。
【０１３３】
（付記５）  前記着信通知情報表示部は、前記設定状態が鳴動モードで登録者にグループ別着信音設定がされている場合、前記通知種別に前記グループ別着信音設定で設定された鳴動音の種別と前記通知理由にグループ別の着信音が設定されている旨とを表示することを特徴とする付記１記載の携帯端末装置。
【０１３４】
（付記６）  前記着信通知情報表示部は、前記設定状態が鳴動モードで登録者に個別着信音設定がされていない場合、前記通知種別に通常着信音で設定された鳴動音の種別と前記通知理由に前記通常着信音が設定されている旨とを表示することを特徴とする付記１記載の携帯端末装置。
【０１３５】
（付記７）  着信履歴を前記表示装置に表示するとき、前記設定状態に応じて通知した着信通知の前記通知種別と前記通知理由とを含む着信通知履歴情報を表示する着信通知履歴情報表示部を有することを特徴とする付記１記載の携帯端末装置。
【０１３６】
（付記８）  前記着信通知情報には、当該携帯端末装置の振動パターン、発光部の発光色、および発光部の発光パターンが含まれることを特徴とする付記１記載の携帯端末装置。
【０１３７】
（付記９）  ユーザの操作に応じて、当該携帯端末装置の設定状態に応じた着信音を鳴動する鳴動手段をさらに有することを特徴とする付記１記載の携帯端末装置。
（付記１０）  通信機能を備えた携帯端末装置において、
通信相手に関する登録情報を記憶した登録情報記憶部と、
当該携帯端末装置の設定状態を記憶する設定状態記憶部と、
着信履歴を表示装置に表示するとき、前記設定状態に応じて通知した着信通知の通知種別と通知理由とを含む着信通知履歴情報を表示する着信鳴動履歴情報表示部と、
を有することを特徴とする携帯端末装置。
【図面の簡単な説明】
【０１３８】
【図１】携帯端末装置を示した図である。
【図２】携帯端末の外観を示した図である。
【図３】携帯端末のブロック図である。
【図４】電話帳データ記憶部のデータ構成例を示した図である。
【図５】鳴動着信音情報記憶部のデータ構成例を示した図である。
【図６】着信音データ記憶部のデータ構成例を示した図である。
【図７】携帯端末の電話帳表示動作を示したフローチャートである。
【図８】携帯端末の電話帳表示動作を示したフローチャートである。
【図９】携帯端末の電話帳表示動作を示したフローチャートである。
【図１０】通常着信音設定を行う際の携帯端末の画面例および電話帳の画面例を示した図である。
【図１１】セキュリティモードおよびマナーモードの設定を行ったときの電話帳の画面例を示した図である。
【図１２】グループ別着信音設定を行う際の携帯端末の画面例および電話帳の画面例を示した図である。
【図１３】セキュリティモードおよびマナーモードの設定を行ったときの電話帳の画面例を示した図である。
【図１４】電話帳別着信音設定を行う際の携帯端末の画面例および電話帳の画面例を示した図である。
【図１５】セキュリティモードおよびマナーモードの設定を行ったときの電話帳の画面例を示した図である。
【図１６】ある電話帳における鳴動優先度と鳴動理由を説明する図である。
【図１７】第２の実施の形態に係る携帯端末の着信履歴表示動作を示したフローチャートである。
【図１８】第２の実施の形態に係る携帯端末の着信履歴表示動作を示したフローチャートである。
【図１９】第２の実施の形態に係る携帯端末の着信履歴表示動作を示したフローチャートである。
【図２０】着信履歴の画面例を示した図である。
【符号の説明】
【０１３９】
１  携帯端末装置
１ａ  登録情報記憶部
１ｂ  設定状態記憶部
１ｃ  着信通知情報表示部
１ｄ  表示装置
【図１】
2010114702.tif 000003
【図２】
2010114702.tif 000004
【図３】
2010114702.tif 000005
【図４】
2010114702.tif 000006
【図５】
2010114702.tif 000007
【図６】
2010114702.tif 000008
【図７】
2010114702.tif 000009
【図８】
2010114702.tif 000010
【図９】
2010114702.tif 000011
【図１０】
2010114702.tif 000012
【図１１】
2010114702.tif 000013
【図１２】
2010114702.tif 000014
【図１３】
2010114702.tif 000015
【図１４】
2010114702.tif 000016
【図１５】
2010114702.tif 000017
【図１６】
2010114702.tif 000018
【図１７】
2010114702.tif 000019
【図１８】
2010114702.tif 000020
【図１９】
2010114702.tif 000021
【図２０】
2010114702.tif 000022